(57)【特許請求の範囲】
【請求項１】
コンデンサを２個直列接続したコンデンサ直列回路と、第１及び第２の双方向スイッチ素子を２個直列接続した第１の双方向スイッチ直列回路と、第３及び第４の双方向スイッチ素子を２個直列接続した第２の双方向スイッチ直列回路と、を交流電源と並列に接続し、前記コンデンサ直列回路内部の接続点と前記第1の双方向スイッチ直列回路内部の接続点との間に第５の双方向スイッチを、前記コンデンサ直列回路内部の接続点と前記第２の双方向スイッチ直列回路内部の接続点との間に第６の双方向スイッチを、各々接続し、前記第１の双方向スイッチ直列回路内部の接続点と前記第２の双方向スイッチ直列回路内部の接続点との間に高周波交流電圧を出力する交流−交流変換回路において、
コンデンサ直列回路の各コンデンサ電圧を出力する第１ステップ波形と前記コンデンサ直列回路全体の電圧を出力する第２ステップ波形との合成波形を高周波交流電圧として出力する第１の制御手段を備えることを特徴とする交流−交流変換回路。
【請求項２】
前記第１の制御手段は、前記各コンデンサの電圧差が小さくなるように前記第１ステップ波形又は第２ステップ波形のパルス幅を調整することを特徴とする請求項１に記載の交流−交流変換回路。
【請求項３】
前記第１の制御手段は、高周波交流電圧の正の電圧から負の電圧又は負の電圧から正の電圧への切替に際し、前記第５及び第６の双方向スイッチをオンさせることにより、零電圧期間を設けることを特徴とする請求項１又は２に記載の交流−交流変換回路。
【請求項４】
前記コンデンサ直列回路の各コンデンサ電圧を高周波交流電圧として出力する第２の制御手段を備えることを特徴とする請求項１〜３のいずれか１項に記載の交流−交流変換回路。
【請求項５】
前記第２の制御手段は、高周波交流電圧の正の電圧から負の電圧又は負の電圧から正の電圧への切替に際し、前記第５及び第６の双方向スイッチをオンさせることにより、零電圧期間を設けることを特徴とする請求項４に記載の交流−交流変換回路。
【請求項６】
前記交流入力電圧の大きさに応じて、前記コンデンサ直列回路全体の電圧を高周波交流電圧として出力する第１の制御手段と前記コンデンサ直列回路の各コンデンサ電圧を高周波交流電圧として出力する第２の制御手段とを切替えることを特徴とする請求項４又は５に記載の交流−交流変換回路。
【請求項７】
前記コンデンサ直列回路と中間タップ付変圧器巻線を並列接続し、前記中間タップと前記コンデンサ直列回路内部の接続点とを接続することを特徴とする請求項１〜６のいずれか１項に記載の交流−交流変換回路。
【請求項８】
請求項１〜７のいずれか１項に記載の交流−交流変換回路における前記高周波交流電圧を変圧器で絶縁変換し、整流回路及び平滑回路を介して直流電圧に変換し、これを直流出力とすることを特徴とする直流電源装置。
【請求項９】
請求項１〜７のいずれか１項に記載の交流−交流変換回路における前記高周波交流電圧を変圧器で絶縁変換し、同期整流回路及び平滑回路を介して交流電源の入力電圧周波数と同じ低周波数の交流電圧に変換し、これを交流出力とすることを特徴とする交流電源装置。
【発明の詳細な説明】
【技術分野】
【０００１】
本発明は、商用周波数の交流電圧を高周波の交流電圧に変換する交流−交流変換回路技術に関する。
【背景技術】
【０００２】
図７に、特許文献１に記載された商用周波数の交流電圧を高周波の交流電圧に変換し、高周波変圧器で絶縁変換する交流−交流変換回路と動作波形例を示す。図７（ａ）は特許文献１の高周波変圧器の２次回路に、ダイオード整流回路とフィルタ回路を接続し、直流電圧に変換する交流−直流変換回路の構成としている。
【０００３】
交流−交流変換回路は、交流電源Ｖｉと並列にコンデンサＣ１とＣ２とが直列接続されたコンデンサ直列回路と、双方向スイッチＳ１とＳ２とが直列接続された第１の双方向スイッチ直列回路と、双方向スイッチＳ３とＳ４とが直列接続された第２の双方向スイッチ直列回路と、が並列接続される。第１の双方向スイッチ直列回路の内部接続点は高周波変圧器ＴＲの一次巻線の一方の端子に、第２の双方向スイッチ直列回路の内部接続点は切替スイッチＳ０の第１の接点（ｂ−ｃ）を介して高周波変圧器ＴＲの１次巻線の他方の端子に、またコンデンサ直列回路の内部接続点は切替スイッチＳ０の第２の接点（ａ−ｃ）を介して高周波変圧器ＴＲの１次巻線の他方の端子に、各々接続される。
【０００４】
高周波変圧器ＴＲの２次巻線はダイオードＤ１〜Ｄ４で構成されたダイオード整流回路ＤＲの交流入力に、ダイオード整流回路ＤＲの直流出力はリアクトルＬ０と平滑コンデンサＣ０で構成されたフィルタ回路Ｆに、各々接続され、フィルタ回路Ｆの出力は負荷ＬＤに接続される。
【０００５】
このような構成において、交流電源Ｖｉの電圧が低い（例えば１００Ｖ）時には切替スイッチＳ０を接点（ｂ−ｃ）を短絡する側に、交流電源Ｖｉの電圧が高い（例えば２００Ｖ）時には切替スイッチＳ０を接点（ａ−ｃ）を短絡する側に切替える。
切替スイッチＳ０を接点（ｂ−ｃ）を短絡する側に切替えた状態では、高周波変圧器ＴＲの一次巻線には交流電源電圧そのものの電圧が、切替スイッチＳ０を接点（ａ−ｃ）を短絡する側に切替えた状態では、高周波変圧器ＴＲの一次巻線には交流電源電圧の半分の電圧が、各々印加される。
【０００６】
切替スイッチＳ０を接点（ｂ−ｃ）を短絡する側に切替えた状態では、フルブリッジ型の回路構成となる。図７（ｂ）に動作波形例を示す。例えば交流電源Ｖｉの電圧が正（Ｃ１側が正）の時双方向スイッチＳ１ａとＳ４ａをオンすると、高周波変圧器ＴＲの一次巻線にはコンデンサＣ１の電圧Ｖｃ１＋Ｃ２の電圧Ｖｃ２、即ち交流電源の電圧が正方向に印加され、遮断すると一次巻線の漏れインダクタンスの電流が零になるまで負の電圧となり、その後二次回路のダイオードがオンしている期間は零電圧となる。この時、一次巻線の漏れインダクタンスの電流が零になるまでの期間は漏れインダクタンスの電流をコンデンサＣ１、Ｃ２に回生するために双方向スイッチＳ２ｂとＳ３ｂをオンする必要がある。
【０００７】
次に、双方向スイッチＳ２ａとＳ３ａをオンすると、高周波変圧器ＴＲの一次巻線にはコンデンサＣ１の電圧Ｖｃ１＋Ｃ２の電圧Ｖｃ２が負方向に、各々印加される。これらの動作を高周波で繰り返すことにより、高周波変圧器ＴＲには高周波の交流電圧が印加される。また、交流電源Ｖｉの電圧極性が負の場合は双方向スイッチの動作を変更すれば同様の動作となる。
【０００８】
切替スイッチＳ０を接点（ａ−ｃ）を短絡する側に切替えた状態では、ハーフブリッジ型の回路構成となる。交流電源Ｖｉの電圧が正（Ｃ１側が正）の時双方向スイッチＳ１ａをオンすると、高周波変圧器ＴＲの一次巻線にはコンデンサＣ１の電圧Ｖｃ１が正方向に、双方向スイッチＳ２ａをオンすると、高周波変圧器ＴＲの一次巻線にはコンデンサＣ２の電圧Ｖｃ２が負方向に、各々印加される。動作波形は上述のフルブリッジ型の動作と同様である。
【０００９】
漏れインダクタンスの電流をコンデンサに回生するために、双方向スイッチＳ１ａを遮断する時には双方向スイッチＳ２ｂを、双方向スイッチＳ２ａを遮断する時には双方向スイッチＳ１ｂを、各々オンさせる必要がある。これらの動作を高周波で繰り返すことにより、高周波変圧器ＴＲには高周波の交流電圧が印加される。また、交流電源Ｖｉの電圧極性が負の場合は双方向スイッチの動作を変更すれば同様の動作となる。
高周波変圧器ＴＲの２次巻線側回路は、ダイオードＤ１〜Ｄ４で構成された整流回路でパルス状の直流電圧に変換し、リアクトルＬ０と平滑コンデンサＣ０で構成された平滑フィルタで平滑された直流電圧を得る一般的な構成である。
【先行技術文献】
【特許文献】
【００１０】
【特許文献１】特許第３８０５８４４号公報
【発明の概要】
【発明が解決しようとする課題】
【００１１】
上述のように、従来例では交流電源電圧に応じて、回路をフルブリッジ回路とハーフブリッジ回路をスイッチで切替える構成であったが、いずれの回路構成においても、双方向スイッチの遮断時に高周波変圧器の一次巻線の電圧が大きく変化するため、ノイズの発生量が大きいという課題があった。また、高周波変圧器一次側回路の双方向スイッチ素子が全てオフの状態で、二次側回路のダイオード電流が零になると高周波変圧器の端子間が浮遊状態となり共振などの高周波ノイズが発生するという問題が生じる。
従って、本発明の課題は、スイッチング時の電圧変化幅を小さくしノイズの発生を抑制し、また高周波変圧器一次側回路の双方向スイッチ素子が全てオフの状態で、二次側回路のダイオード電流が零になっても高周波変圧器の端子間の高周波振動電圧を抑制することにある。
【課題を解決するための手段】
【００１２】
上述の課題を解決するために、第１の発明においては、コンデンサを２個直列接続したコンデンサ直列回路と、第１及び第２の双方向スイッチ素子を２個直列接続した第１の双方向スイッチ直列回路と、第３及び第４の双方向スイッチ素子を２個直列接続した第２の双方向スイッチ直列回路と、を交流電源と並列に接続し、前記コンデンサ直列回路内部の接続点と前記第1の双方向スイッチ直列回路内部の接続点との間に第５の双方向スイッチを、前記コンデンサ直列回路内部の接続点と前記第２の双方向スイッチ直列回路内部の接続点との間に第６の双方向スイッチを、各々接続し、前記第１の双方向スイッチ直列回路内部の接続点と前記第２の双方向スイッチ直列回路内部の接続点との間に高周波交流電圧を出力する交流−交流変換回路において、コンデンサ直列回路の各コンデンサ電圧を出力する第１ステップ波形と前記コンデンサ直列回路全体の電圧を出力する第２ステップ波形との合成波形を高周波交流電圧として出力する第１の制御手段を備える。
【００１３】
第２の発明においては、第１の発明における前記第１の制御手段は、前記各コンデンサの電圧差が小さくなるように前記第１ステップ波形又は第２ステップ波形のパルス幅を調整する。
【００１４】
第３の発明においては、第１又は第２の発明における前記第１の制御手段は、高周波交流電圧の正の電圧から負の電圧又は負の電圧から正の電圧への切替に際し、前記第５及び第６の双方向スイッチをオンさせることにより、零電圧期間を設ける。
【００１５】
第４の発明においては、第１〜第３の発明における前記コンデンサ直列回路の各コンデンサ電圧を高周波交流電圧として出力する第２の制御手段を備える。
【００１６】
第５の発明においては、前記第２の制御手段は、高周波交流電圧の正の電圧から負の電圧又は負の電圧から正の電圧への切替に際し、前記第５及び第６の双方向スイッチをオンさせることにより、零電圧期間を設ける。
【００１７】
第６の発明においては、第４又は第５の発明において、前記交流入力電圧の大きさに応じて、前記コンデンサ直列回路全体の電圧を高周波交流電圧として出力する第１の制御手段と前記コンデンサ直列回路の各コンデンサ電圧を高周波交流電圧として出力する第２の制御手段とを切替える。
【００１８】
第７の発明においては、第１〜第６の発明において、前記コンデンサ直列回路と中間タップ付変圧器巻線を並列接続し、前記中間タップと前記コンデンサ直列回路内部の接続点とを接続する。
【００２１】
第８の発明においては、第１〜第７のいずれか1項に記載の交流−交流変換回路における前記高周波交流電圧を変圧器で絶縁変換し、整流回路及び平滑回路を介して直流電圧に変換し、これを直流出力とする直流電源装置とする。
【００２２】
第９の発明においては、第１〜第７のいずれか1項に記載の交流−交流変換回路における前記高周波交流電圧を変圧器で絶縁変換し、同期整流回路及び平滑回路を介して交流電源の入力電圧周波数と同じ低周波数の交流電圧に変換し、これを交流出力とする交流電源装置とする。
【発明の効果】
【００２３】
本発明では、ハーフブリッジ回路及びフルブリッジ回路の動作における、交流出力電圧の極性切替えに際し、第５及び第６の双方向スイッチをオンさせ高周波変圧器の一次巻線を短絡する期間を設けている。また、フルブリッジ回路動作においては、コンデンサ直列回路の各コンデンサ電圧を出力する第１ステップ波形とコンデンサ直列回路全体の電圧を出力する第２ステップ波形との合成波形を高周波交流電圧として出力する制御手段を備えている。この結果、高周波変圧器二次側整流回路の電流が断続しても高周波変圧器の巻線間電圧は零となり、浮遊状態でなくなり、共振電圧が発生しないのでノイズが低減される。また、双方向スイッチ素子遮断時の交流出力電圧波形は零電圧を経由して極性が切替わるので、電圧変化量が小さくなり、ノイズ発生量が減少する。さらに、フルブリッジ回路動作においては、零電圧から２ステップ動作で電圧が変化するため、電圧変化量がさらに小さくなり、一層のノイズ発生量低減が可能となる。
【図面の簡単な説明】
【００２４】
【図１】本発明の第1の実施例を示す回路図である。
【図２】図1の第1の動作波形例を示す。
【図３】図1の第2の動作波形例を示す。
【図４】本発明の第２の実施例を示す回路図である。
【図５】本発明の第３の実施例を示す回路図である。
【図６】本発明の第４の実施例を示す回路図である。
【図７】従来例を示す回路図及び動作波形例である。
【発明を実施するための形態】
【００２５】
本発明の要点は、コンデンサを２個直列接続したコンデンサ直列回路と、第1及び第２の双方向スイッチ素子を２個直列接続した第１の双方向スイッチ直列回路と、第３及び第４の双方向スイッチ素子を２個直列接続した第２の双方向スイッチ直列回路と、を交流電源と並列に接続し、前記コンデンサ直列回路内部の接続点と前記第1の双方向スイッチ直列回路内部の接続点との間に第５の双方向スイッチを、前記コンデンサ直列回路内部の接続点と前記第２の双方向スイッチ直列回路内部の接続点との間に第６の双方向スイッチを、各々接続し、前記第1の双方向スイッチ直列回路内部の接続点と前記第２の双方向スイッチ直列回路内部の接続点との間に高周波交流電圧を出力する点である。
【００２６】
高周波交流電圧の極性切替に際しては、第5及び第６の双方向スイッチをオンさせて高周波交流電圧を零電圧にする期間を設ける。さらに、フルブリッジ回路動作においては、コンデンサ直列回路の各コンデンサ電圧を出力する第１ステップ波形とコンデンサ直列回路全体の電圧を出力する第２ステップ波形との合成波形を高周波交流電圧として出力する。
【実施例１】
【００２７】
図１に、本発明の第1の実施例を示す。商用交流電源電圧を高周波交流電圧に変換し、高周波変圧器ＴＲで絶縁変換後、整流回路ＳＲと平滑フィルタＦを介して直流電圧を負荷ＬＤに供給する実施例である。
コンデンサＣ１、Ｃ２を２個直列接続したコンデンサ直列回路と、逆阻止型ＩＧＢＴＳ１ａとＳ１ｂを逆並列接続した第1の双方向スイッチ素子及び逆阻止型ＩＧＢＴＳ２ａとＳ２ｂを逆並列接続した第２の双方向スイッチ素子を直列接続した第１の双方向スイッチ直列回路と、逆阻止型ＩＧＢＴＳ３ａとＳ３ｂを逆並列接続した第３の双方向スイッチ素子及び逆阻止型ＩＧＢＴＳ４ａとＳ４ｂを逆並列接続した第４の双方向スイッチ素子を直列接続した第２の双方向スイッチ直列回路と、を各々交流電源Ｖｉと並列に接続する。
【００２８】
また、前記コンデンサ直列回路内部の接続点と前記第1の双方向スイッチ直列回路内部の接続点との間に逆阻止型ＩＧＢＴＳ５ａとＳ５ｂを逆並列接続した第５の双方向スイッチを、前記コンデンサ直列回路内部の接続点と前記第２の双方向スイッチ直列回路内部の接続点との間に逆阻止型ＩＧＢＴＳ６ａとＳ６ｂを逆並列接続した第６の双方向スイッチを、各々接続する。前記第1の双方向スイッチ直列回路内部の接続点と前記第２の双方向スイッチ直列回路内部の接続点との間に高周波変圧器ＴＲの一次巻線を接続する。高周波変圧器ＴＲの二次巻線はダイオードＤ１〜Ｄ４で構成されたダイオード整流回路ＤＲの交流入力に、ダイオード整流回路ＤＲの直流出力はリアクトルＬｏとコンデンサＣｏで構成された平滑フィルタＦと並列接続され、さらにコンデンサＣｏと並列に負荷ＬＤが接続される。
【００２９】
また、コンデンサＣ１，Ｃ２の直列回路と並列に電圧検出器ＶＤ１が接続され、電圧検出器ＶＤ１の出力は、直接又はレベル判定回路ＲＪを介して制御回路ＣＮＴ１に接続される。
このような構成における動作を図２及び図３に示す。図２はフルブリッジ回路での動作、図３はハーフブリッジ回路での動作図である。
【００３０】
図２はフルブリッジ回路での動作で、交流電源Ｖｉの電圧極性が正（コンデンサＣ１側が正）の場合の動作波形図である。ＩＧＢＴは全て逆阻止型である。
交流出力電圧を正側に出力する場合の動作モードは２種類ある。モード１では、ＩＧＢＴＳ６ｂがオンの状態でＩＧＢＴＳ１ａをオンさせると交流出力電圧はコンデンサＣ１の電圧Ｖｃ１となり、次にＩＧＢＴＳ４ａをオンさせると交流出力電圧はコンデンサＣ１の電圧Ｖｃ１＋コンデンサＣ２の電圧Ｖｃ２となる。次にＩＧＢＴＳ４ａをオフさせると交流出力電圧はコンデンサＣ１の電圧Ｖｃ１となり、さらにＩＧＢＴＳ１ａをオフさせ、ＩＧＢＴＳ５ａをオンさせると交流出力電圧は零となる。ここでＩＧＢＴＳ５ａへのオン信号はＩＧＢＴＳ１ａをオフさせる時点より前の時刻に与えるとスムーズに電流を転流させることができる。この結果、交流出力電圧は正側に２ステップ状のパルス波形となる。
【００３１】
モード２では、ＩＧＢＴＳ５ａがオンの状態でＩＧＢＴＳ４ａをオンさせると交流出力電圧はコンデンサＣ２の電圧Ｖｃ２となり、次にＩＧＢＴＳ１ａをオンさせると交流出力電圧はコンデンサＣ１の電圧Ｖｃ１＋コンデンサＣ２の電圧Ｖｃ２となる。次にＩＧＢＴＳ１ａをオフさせると交流出力電圧はコンデンサＣ２の電圧Ｖｃ２となり、さらにＩＧＢＴＳ４ａをオフさせ、ＩＧＢＴＳ６ｂをオンさせると交流出力電圧は零となる。ここでＩＧＢＴＳ６ｂへのオン信号はＩＧＢＴＳ４ａをオフさせる時点より前の時刻に与えるとスムーズに電流を転流させることができる。この結果、交流出力電圧は正側に２ステップ状のパルス波形となる。
【００３２】
同様に、交流出力電圧を負側に出力する動作モードも２種類ある。モード１では、ＩＧＢＴＳ６ａがオンの状態でＩＧＢＴＳ２ａをオンさせると交流出力電圧はコンデンサＣ２の電圧Ｖｃ２となり、次にＩＧＢＴＳ３ａをオンさせると交流出力電圧はコンデンサＣ１の電圧Ｖｃ１＋コンデンサＣ２の電圧Ｖｃ２となる。次にＩＧＢＴＳ３ａをオフさせると交流出力電圧はコンデンサＣ２の電圧Ｖｃ２となり、さらにＩＧＢＴＳ２ａをオフさせ、ＩＧＢＴＳ５ｂをオンさせると交流出力電圧は零となる。ここでＩＧＢＴＳ５ｂへのオン信号はＩＧＢＴＳ２ａをオフさせる時点より前の時刻に与えるとスムーズに電流を転流させることができる。この結果、交流出力電圧は負側に２ステップ状のパルス波形となる。
【００３３】
モード２では、ＩＧＢＴＳ５ｂがオンの状態でＩＧＢＴＳ３ａをオンさせると交流出力電圧はコンデンサＣ１の電圧Ｖｃ１となり、次にＩＧＢＴＳ２ａをオンさせると交流出力電圧はコンデンサＣ１の電圧Ｖｃ１＋コンデンサＣ２の電圧Ｖｃ２となる。次にＩＧＢＴＳ２ａをオフさせると交流出力電圧はコンデンサＣ１の電圧Ｖｃ１となり、さらにＩＧＢＴＳ３ａをオフさせ、ＩＧＢＴＳ６ａをオンさせると交流出力電圧は零となる。ここでＩＧＢＴＳ６ａへのオン信号はＩＧＢＴＳ３ａをオフさせる時点より前の時刻に与えるとスムーズに電流を転流させることができる。この結果、交流出力電圧は負側に２ステップ状のパルス波形となる。
【００３４】
モード１の動作とモード２の動作を交流出力電圧の正出力のパルス列で交互に又は負出力のパルス列で交互に使い分けることにより、正出力のパルス列及び負出力のパルス列はコンデンサＣ１の電圧Ｖｃ１とコンデンサＣ２の電圧Ｖｃ２が交互に存在することになり、結果的に、コンデンサＣ１とＣ２の電圧を均等化することになる。また、高周波変圧器の高周波的な励磁は均等化され、偏磁を抑制することができる。
交流入力電圧の極性が負の時にはＩＧＢＴの使い方を変更することにより、同様に高周波電圧を出力することができる。
【００３５】
図３は、ハーフブリッジ回路での動作図である。交流電源Ｖｉの電圧極性が正（コンデンサＣ１側が正）の場合の動作波形図である。ＩＧＢＴは全て逆阻止型である。
図１に示す回路構成において、ハーフブリッジ回路動作としては、双方向スイッチＳ６（ＩＧＢＴＳ６ａとＳ６ｂで構成）をオン状態として、双方向スイッチＳ１（ＩＧＢＴＳ１ａとＳ１ｂで構成）と双方向スイッチＳ２（ＩＧＢＴＳ２ａとＳ２ｂで構成）とを交互にオンオフする動作モード１と、双方向スイッチＳ５（ＩＧＢＴＳ５ａとＳ５ｂで構成）をオン状態として、双方向スイッチＳ３（ＩＧＢＴＳ３ａとＳ３ｂで構成）と双方向スイッチＳ４（ＩＧＢＴＳ４ａとＳ４ｂで構成）と、を交互にオンオフする動作モード２とがある。
【００３６】
動作モード１では、双方向スイッチＳ６（ＩＧＢＴＳ６ａとＳ６ｂで構成）をオン状態として、双方向スイッチＳ１（ＩＧＢＴＳ１ａとＳ１ｂで構成）と双方向スイッチＳ２（ＩＧＢＴＳ２ａとＳ２ｂで構成）とを交互にオンオフする。ＩＧＢＴＳ１ａをオンすると交流出力電圧はコンデンサＣ１の電圧Ｖｃ１（正の極性の電圧）となり、ＩＧＢＴＳ１ａを遮断し、ＩＧＢＴＳ５ａをオンすると高周波出力電圧は零となる。この時、ＩＧＢＴＳ５ａへのオン信号はＩＧＢＴＳ１ａを遮断する時点より前の時刻に与えると電流をスムーズに転流させることができる。
【００３７】
次に、ＩＧＢＴＳ２ａをオンすると交流出力電圧はコンデンサＣ２の電圧Ｖｃ２（負の極性の電圧）となり、ＩＧＢＴＳ２ａを遮断し、ＩＧＢＴＳ５ｂをオンすると高周波出力電圧は零となる。この時、ＩＧＢＴＳ５ｂへのオン信号はＩＧＢＴＳ２ａを遮断する時点より前の時刻に与えると電流をスムーズに転流させることができる。
【００３８】
動作モード２では、双方向スイッチＳ５（ＩＧＢＴＳ５ａとＳ５ｂで構成）をオン状態として、双方向スイッチＳ３（ＩＧＢＴＳ３ａとＳ３ｂで構成）と双方向スイッチＳ４（ＩＧＢＴＳ４ａとＳ４ｂで構成）とを交互にオンオフする。ＩＧＢＴＳ４ａをオンすると交流出力電圧はコンデンサＣ２の電圧Ｖｃ２（正の極性の電圧）となり、ＩＧＢＴＳ４ａを遮断し、ＩＧＢＴＳ６ｂをオンすると高周波出力電圧は零となる。この時、ＩＧＢＴＳ６ｂへのオン信号はＩＧＢＴＳ４ａを遮断する時点より前の時刻に与えると電流をスムーズに転流させることができる。
【００３９】
次に、ＩＧＢＴＳ３ａをオンすると交流出力電圧はコンデンサＣ１の電圧Ｖｃ１（負の極性の電圧）となり、ＩＧＢＴＳ３ａを遮断し、ＩＧＢＴＳ６ａをオンすると高周波出力電圧は零となる。この時、ＩＧＢＴＳ６ａへのオン信号はＩＧＢＴＳ３ａを遮断する時点より前の時刻に与えると電流をスムーズに転流させることができる。
モード１の動作とモード２の動作を交互に組合せることにより、導通するＩＧＢＴ素子を分散させることが可能で、従来に比べて発生損失が分散するので、冷却装置の小型化が可能となり、また出力容量の大容量化が容易となる。
【００４０】
図１に示す電圧検出器ＶＤ１とレベル判定回路ＲＪは、コンデンサＣ１、Ｃ２の電圧差を検出し、電圧が均等になるように制御するための電圧均等化制御と、交流電源Ｖ１の電圧の大きさを判定してフルブリッジ動作とハーフブリッジ動作を切替える切替制御に用いる。電圧均等化制御は、電圧が高い方のコンデンサからのエネルギーの放出が多くなるようにパルス幅を制御する。また、切替制御は、交流入力電圧の変動範囲の中間点を検出し、電圧がこの中間点付近の電圧より低い時にはフルブリッジ回路の動作に、高い時にはハーフブリッジ回路の動作となるように、制御方式を切替える。その結果、交流電源の電圧変動が大きい場合でも、高周波出力電圧のピーク値変動を小さくすることが可能となり、高周波変圧器の小型化が可能となる。
【実施例２】
【００４１】
図４に、本発明の第２の実施例を示す。第１の実施例では、コンデンサＣ１、Ｃ２の電圧均等化制御を制御回路で行っていたが、本実施例では、制御回路では交流電源Ｖｉの電圧に応じて回路方式をフルブリッジ回路動作とハーフブリッジ回路動作を切替える制御を行い、電圧均等化はコンデンサＣ１とＣ２の直列回路と並列に中間端子付の単巻変圧器ＢＡＬを接続することにより実現する。単巻変圧器ＢＡＬの中間端子には交流電源Ｖｉの半分の電圧が発生するため、コンデンサＣ１の電圧とＣ２の電圧は均等化される。その他の動作は実施例１と同じである。
【実施例３】
【００４２】
図５に、本発明の第３の実施例を示す。高周波変圧器の出力を同期整流して交流電源Ｖｉと同じ周波数で、電圧の違う交流出力を得る場合の構成である。第１の実施例との違いは、高周波変圧器ＴＲの二次巻線側の回路構成である。第１の実施例におけるダイオード整流回路ＤＲの代わりに同期整流回路ＳＲを用い、同期整流回路ＳＲの出力にリアクトルＬｏａとコンデンサＣｏａからなる波形整形用交流フィルタＡＣＦを、コンデンサＣｏａと並列に交流負荷ＡＬＤを、各々接続した構成である。同期整流回路ＳＲは、逆阻止型ＩＧＢＴを逆並列接続した双方向スイッチを４個用いたブリッジ回路である。即ち双方向スイッチＢ１（Ｂ１ａとＢ１ｂで構成）とＢ２（Ｂ２ａとＢ２ｂで構成）の直列回路Ａと、双方向スイッチＢ３（Ｂ３ａとＢ３ｂで構成）とＢ４（Ｂ４ａとＢ４ｂで構成）の直列回路Ｂとが並列接続された構成である。
【００４３】
このような構成における動作を図６に示す。高周波変圧器一次側回路の動作がハーフブリッジ回路動作の場合の動作例である。高周波変圧器ＴＲのパルス列状の電圧を交流電源Ｖｉの電圧の周波数の正の半サイクル期間は同期整流回路の双方向スイッチで正方向に、負の半サイクル期間は同期整流回路の双方向スイッチで負方向に同期整流し、波形整形用交流フィルタＡＣＦを通すことにより、交流電源Ｖｉと同じ周波数の交流電圧を得ることができる。
尚、上記実施例には双方向スイッチとして逆阻止型ＩＧＢＴを逆並列接続した場合の例を示したが、逆耐圧のないＩＧＢＴとダイオードを組合わせて場合でも同様に実現可能である。
【産業上の利用可能性】
【００４４】
本発明は、電圧の変動範囲が大きい交流電源から高周波の交流電圧を作り出す技術であり、スイッチング電源、無停電電源装置などへの適用が可能である。
【符号の説明】
【００４５】
Ｖｉ・・・交流電源          Ｃ１、Ｃ２・・・コンデンサ
Ｓ０・・・切替スイッチ          ＴＲ・・・高周波変圧器
Ｓ１ａ、Ｓ１ｂ、Ｓ２ａ、Ｓ２ｂ、Ｓ３ａ、Ｓ３ｂ、Ｓ４ａ、Ｓ４ｂ・・・逆阻止型ＩＧＢＴ
Ｂ１ａ、Ｂ１ｂ、Ｂ２ａ、Ｂ２ｂ、Ｂ３ａ、Ｂ３ｂ、Ｂ４ａ、Ｂ４ｂ・・・逆阻止型ＩＧＢＴ
ＤＲ・・・ダイオード整流器          ＳＲ・・・同期整流回路
Ｄ１〜Ｄ４・・・ダイオード          Ｌｏ・・・平滑リアクトル
Ｃｏ・・・平滑コンデンサ          Ｆ・・・直流平滑フィルタ
Ｌｏａ・・・交流リアクトル        Ｃｏａ・・・コンデンサ
ＡＣＦ・・・交流フィルタ          ＮＡＬ・・・単巻変圧器
ＬＤ・・・直流負荷          ＡＬＤ・・・交流負荷
ＶＤ１・・・電圧検出器          ＲＪ・・・レベル判定器
ＣＮＴ１〜３：制御回路
【図１】
0005633688.tif 000002
【図２】
0005633688.tif 000003
【図３】
0005633688.tif 000004
【図４】
0005633688.tif 000005
【図５】
0005633688.tif 000006
【図６】
0005633688.tif 000007
【図７】
0005633688.tif 000008